(57)【要約】【課題】Ｗｅｂサーバからコンテンツを受信すると、そのコンテンツのフレーム構成を変換することなく、そのコンテンツをディスプレイ上に表示する。そのため、コンテンツの構成がマルチフレーム構成の場合には、高齢者や視覚障害者などがコンテンツの内容を正確に理解することができないなどの課題があった。【解決手段】コンテンツ受信部１２により受信されたコンテンツの構成がマルチフレーム構成である場合、そのコンテンツの構成をシングルフレーム構成に変換する構成変換部１３を設け、そのシングルフレーム構成のコンテンツを情報端末装置４に送信する。【選択図】　　　　図１
2004139274.tif 000002
【特許請求の範囲】
【請求項１】
ウェブサーバに保存されているコンテンツを受信する受信手段と、上記受信手段により受信されたコンテンツの構成がマルチフレーム構成である場合、そのコンテンツの構成をシングルフレーム構成に変換する構成変換手段と、上記構成変換手段によりシングルフレーム構成に変換されたコンテンツを情報端末装置に送信する送信手段とを備えたコンテンツ変換装置。
【請求項２】
構成変換手段は、コンテンツの構成をシングルフレーム構成に変換する際、そのコンテンツのフォントサイズを拡大することを特徴とする請求項１記載のコンテンツ変換装置。
【請求項３】
ウェブサーバに保存されているコンテンツを受信する受信手段と、上記受信手段により受信されたコンテンツの表記を音声表現する音声情報を生成するとともに、そのコンテンツの表示内容を記述しているマークアップ言語からタグ情報を抽出し、そのタグ情報に応じて上記音声表現を補助する補助情報を当該音声情報に付加する音声情報生成手段と、上記音声情報生成手段により補助情報が付加された音声情報を情報端末装置に送信する送信手段とを備えたコンテンツ変換装置。
【請求項４】
ウェブサーバに保存されているコンテンツを受信する受信手段と、上記受信手段により受信されたコンテンツの構成がマルチフレーム構成である場合、そのコンテンツの構成をシングルフレーム構成に変換する構成変換手段と、上記受信手段により受信されたコンテンツの表記を音声表現する音声情報を生成するとともに、そのコンテンツの表示内容を記述しているマークアップ言語からタグ情報を抽出し、そのタグ情報に応じて上記音声表現を補助する補助情報を当該音声情報に付加する音声情報生成手段と、上記構成変換手段によりシングルフレーム構成に変換されたコンテンツを情報端末装置に送信するとともに、上記音声情報生成手段により補助情報が付加された音声情報を情報端末装置に送信する送信手段とを備えたコンテンツ変換装置。
【請求項５】
受信手段は、情報端末装置から所望のコンテンツの送信要求を受けると、そのコンテンツが保存されているウェブサーバから当該コンテンツを受信することを特徴とする請求項１から請求項４のうちのいずれか１項記載のコンテンツ変換装置。
【請求項６】
コンテンツ変換装置がコンテンツの表記を音声表現する音声情報を生成して、その音声表現を補助する補助情報を当該音声情報に付加すると、そのコンテンツ変換装置から補助情報付きの音声情報を受信する音声情報受信手段と、上記音声情報受信手段により受信された補助情報付きの音声情報にしたがって音声出力する音声出力手段とを備えた情報端末装置。
【発明の詳細な説明】
【０００１】
【発明の属する技術分野】
この発明は、高齢者や視覚障害者が内容を容易に理解することができるコンテンツを提供するコンテンツ変換装置及び情報端末装置に関するものである。
【０００２】
【従来の技術】
インターネットなどに接続されているＷｅｂサーバは、パソコンなどの情報端末装置からコンテンツの送信要求を受けると、図８に示すように、インターネットを介して、そのコンテンツを情報端末装置に送信する。
情報端末装置は、Ｗｅｂサーバからコンテンツを受信すると、そのコンテンツをディスプレイ上に表示する。
【０００３】
ただし、コンテンツの構成が図９に示すようなマルチフレーム構成の場合、シングルフレーム構成のコンテンツと比べて構成が複雑である。
そのため、高齢者や視覚障害者（老眼、弱視、全盲など、視覚的なハンディキャップがある者）などが情報端末装置を操作する場合、コンテンツの構成がマルチフレーム構成であると、コンテンツの内容を正確に理解することができないことがよくある。
【０００４】
なお、情報端末装置がコンテンツの読み上げソフトを搭載している場合には、コンテンツの表示内容を記述しているＨＴＭＬ書式（マークアップ言語）を参照して、そのコンテンツの表記（テキスト）を音声表現する音声情報を生成することができる。
したがって、この場合には、情報端末装置がコンテンツの表記を音声出力することができるので、高齢者や視覚障害者の理解を助けることができる。
【０００５】
なお、上記先行技術は当事者一般に知られた技術であって、文献公知発明に係るものではない。
【０００６】
【発明が解決しようとする課題】
従来の情報端末装置は以上のように構成されているので、Ｗｅｂサーバからコンテンツを受信すると、そのコンテンツのフレーム構成を変換することなく、そのコンテンツをディスプレイ上に表示する。そのため、コンテンツの構成がマルチフレーム構成の場合には、高齢者や視覚障害者などがコンテンツの内容を正確に理解することができないなどの課題があった。
【０００７】
なお、情報端末装置がコンテンツの読み上げソフトを搭載している場合には、コンテンツの表記を音声出力することができるので、高齢者や視覚障害者の理解を助けることができるが、コンテンツの表記のみを音声出力するものであるため、その表記が意図することを理解できない場合がある課題があった。
例えば、コンテンツに“経済ニュース”と表記されているとき、その“経済ニュース”の文字列が新聞社のホームページとリンクされているものであっても、単に“経済ニュース”と音声出力するだけで、その文字列をクリックすれば、リンク先（新聞社）のホームページを表示できる旨が音声出力されないので、その表記の意図を理解することができない。
【０００８】
この発明は上記のような課題を解決するためになされたもので、高齢者や視覚障害者が見易い形式のコンテンツを提供することができるコンテンツ変換装置を得ることを目的とする。
また、この発明は、コンテンツの表記の意図を明確化することができるコンテンツ変換装置及び情報端末装置を得ることを目的とする。
【０００９】
【課題を解決するための手段】
この発明に係るコンテンツ変換装置は、受信手段により受信されたコンテンツの構成がマルチフレーム構成である場合、そのコンテンツの構成をシングルフレーム構成に変換する構成変換手段を設け、そのシングルフレーム構成のコンテンツを情報端末装置に送信するようにしたものである。
【００１０】
【発明の実施の形態】
以下、この発明の実施の一形態を説明する。
実施の形態１．
図１はこの発明の実施の形態１によるコンテンツ変換装置が適用されるシステム構成を示すシステム構成図であり、図において、Ｗｅｂサーバ（ウェブサーバ）１はコンテンツを保存しており、コンテンツ変換装置２はＷｅｂサーバ１からコンテンツを受信し、そのコンテンツの構成がマルチフレーム構成である場合、そのコンテンツの構成をシングルフレーム構成に変換して情報端末装置４に送信する。パソコンなどの情報端末装置４はコンテンツ変換装置２からインターネット３を介して送信されたコンテンツを表示する機能を備えている。
【００１１】
図２はこの発明の実施の形態１によるコンテンツ変換装置を示す構成図であり、図において、要求受付部１１は情報端末装置４から所望のコンテンツの送信要求を受け付ける機能を有し、コンテンツ受信部１２は要求受付部１１が所望のコンテンツの送信要求を受け付けると、そのコンテンツが保存されているＷｅｂサーバ１から当該コンテンツを受信する機能を備えている。なお、要求受付部１１及びコンテンツ受信部１２から受信手段が構成されている。
構成変換手段を構成する構成変換部１３はコンテンツ受信部１２により受信されたコンテンツの構成がマルチフレーム構成である場合、そのコンテンツの構成をシングルフレーム構成に変換する機能を有し、送信手段を構成するコンテンツ送信部１４は構成変換部１３によりシングルフレーム構成に変換されたコンテンツを情報端末装置４に送信する機能を有している。
【００１２】
次に動作について説明する。
例えば、高齢者や視覚障害者が情報端末装置４を操作して、コンテンツ変換装置２にアクセスすると、コンテンツ変換装置２のホームページが情報端末装置４のディスプレイに表示される。
コンテンツ変換装置２のホームページには、コンテンツのメニューリストが記載され、また、コンテンツの検索エンジンが搭載されているので、そのメニューリスト又は検索エンジンから所望のコンテンツを選択することができる。
高齢者や視覚障害者が情報端末装置４を操作して、所望のコンテンツを選択すると、そのコンテンツの送信要求がコンテンツ変換装置２に送信される。
【００１３】
コンテンツ変換装置２の要求受付部１１が情報端末装置４からコンテンツの送信要求を受け付けると、コンテンツ変換装置２のコンテンツ受信部１２は、そのコンテンツが保存されているＷｅｂサーバ１から当該コンテンツを受信する。
コンテンツ変換装置２の構成変換部１３は、コンテンツ受信部１２がコンテンツを受信すると、そのコンテンツの表示内容を記述しているＨＴＭＬ書式（マークアップ言語）を参照して、そのコンテンツの構成がマルチフレーム構成であるか否かを判定する。
具体的には、ＨＴＭＬ書式の＜ＢＯＤＹ＞タグの中には、図３に示すように、コンテンツのフレーム構成に関するフレーム情報“ＦＲＡＭＥＳＥＴ”が記述されているので、そのフレーム情報“ＦＲＡＭＥＳＥＴ”が複数記述されている場合には、そのコンテンツの構成がマルチフレーム構成であると判断する。
【００１４】
コンテンツ変換装置２の構成変換部１３は、コンテンツの構成がマルチフレーム構成であると判断すると、そのコンテンツの構成をシングルフレーム構成に変換する。
具体的には、＜ＢＯＤＹ＞タグの中にあるフレーム情報“ＦＲＡＭＥＳＥＴ”を全て削除、または、先頭のフレーム情報“ＦＲＡＭＥＳＥＴ”のみを残して、他のフレーム情報“ＦＲＡＭＥＳＥＴ”を削除することにより、そのコンテンツの構成をシングルフレーム構成に変換する。
【００１５】
コンテンツ変換装置２のコンテンツ送信部１４は、構成変換部１３からシングルフレーム構成のコンテンツを受けると、そのシングルフレーム構成のコンテンツを情報端末装置４に送信する。
情報端末装置４は、コンテンツ変換装置２からシングルフレーム構成のコンテンツを受信すると、図４に示すように、そのコンテンツをディスプレイ上に表示する。
【００１６】
以上で明らかなように、この実施の形態１によれば、コンテンツ受信部１２により受信されたコンテンツの構成がマルチフレーム構成である場合、そのコンテンツの構成をシングルフレーム構成に変換する構成変換部１３を設け、そのシングルフレーム構成のコンテンツを情報端末装置４に送信するように構成したので、高齢者や視覚障害者が見易い形式のコンテンツを提供することができる効果を奏する。
【００１７】
また、この実施の形態１によれば、情報端末装置４から所望のコンテンツの送信要求を受けると、そのコンテンツが保存されているＷｅｂサーバ１から当該コンテンツを受信するように構成したので、高齢者や視覚障害者が所望するコンテンツの内容理解を補助することができる効果を奏する。
【００１８】
実施の形態２．
上記実施の形態１では、構成変換部１３がコンテンツの構成がマルチフレーム構成である場合、そのコンテンツの構成をシングルフレーム構成に変換するものについて示したが、その際、構成変換部１３が、そのコンテンツのフォントサイズを拡大するようにしてもよい。
例えば、コンテンツに表記される文字や記号のフォントサイズが１０ポイントであれば１２ポイントに拡大し、その文字や記号のフォントサイズが１２ポイントであれば１４ポイントに拡大する。
これにより、一層見易い形式のコンテンツを提供することができる効果を奏する。
【００１９】
実施の形態３．
図５はこの発明の実施の形態３によるコンテンツ変換装置を示す構成図であり、図において、図２と同一符号は同一又は相当部分を示すので説明を省略する。音声情報生成手段を構成する音声情報生成部１５はコンテンツ受信部１２により受信されたコンテンツの表記を音声表現する音声情報を生成するとともに、そのコンテンツの表示内容を記述しているＨＴＭＬ書式（マークアップ言語）からタグ情報を抽出し、そのタグ情報に応じて上記音声表現を補助する補助情報を当該音声情報に付加する機能を有している。
【００２０】
図６はこの発明の実施の形態３による情報端末装置を示す構成図であり、図において、音声情報受信手段を構成する情報受信部２１はコンテンツ変換装置２からシングルフレーム構成のコンテンツを受信するとともに、補助情報付きの音声情報を受信し、コンテンツ表示部２２は情報受信部２１により受信されたシングルフレーム構成のコンテンツをディスプレイ２３に表示する。
音声出力部２４は情報受信部２１により受信された補助情報付きの音声情報にしたがって音声出力する機能を有している。なお、音声出力部２４及びスピーカ２５から音声出力手段が構成されている。
【００２１】
次に動作について説明する。
コンテンツ変換装置２の音声情報生成部１５は、コンテンツ受信部１２が上記実施の形態１と同様にしてコンテンツを受信すると、そのコンテンツの表示内容を記述しているＨＴＭＬ書式を参照して、そのコンテンツの表記（テキスト）を音声表現する音声情報を生成する。ここでの音声情報の生成は、従来のコンテンツ読み上げソフトと同様の処理により行う。
【００２２】
次に、音声情報生成部１５は、そのコンテンツの表示内容を記述しているＨＴＭＬ書式からタグ情報を抽出し、そのタグ情報に応じて上記音声表現を補助する補助情報を当該音声情報に付加する。
例えば、タグ情報が図７に示すように、リンク先を示すタグ＜Ａ　ＨＲＥＦ＞である場合には、タグの中身（コンテンツの表記）である“経済ニュース”にリンクが張られている旨を音声表現する補助情報を生成し、その補助情報を当該音声情報に付加する。
【００２３】
コンテンツ変換装置２のコンテンツ送信部１４は、音声情報生成部１５から補助情報付きの音声情報を受けると、その補助情報付きの音声情報を構成変換部１３から出力されたシングルフレーム構成のコンテンツと一緒に情報端末装置４に送信する。
【００２４】
情報端末装置４のコンテンツ表示部２２は、情報受信部２１がシングルフレーム構成のコンテンツを受信すると、上記実施の形態１と同様に、そのコンテンツをディスプレイ２３に表示する。
情報端末装置４の音声出力部２４は、情報受信部２１が補助情報付きの音声情報を受信すると、その補助情報付きの音声情報にしたがってスピーカ２５を制御することにより音声出力する。
この場合、単に“経済ニュース”と音声出力するだけではなく、例えば、「“経済ニュース”をクリックすると、リンク先のホームページを表示できます」のように音声出力する。
【００２５】
以上で明らかなように、この実施の形態３によれば、コンテンツ受信部１２により受信されたコンテンツの表記を音声表現する音声情報を生成するとともに、そのコンテンツの表示内容を記述しているＨＴＭＬ書式からタグ情報を抽出し、そのタグ情報に応じて上記音声表現を補助する補助情報を当該音声情報に付加するように構成したので、コンテンツの表記の意図を明確化することができる効果を奏する。
【００２６】
【発明の効果】
以上のように、この発明によれば、受信手段により受信されたコンテンツの構成がマルチフレーム構成である場合、そのコンテンツの構成をシングルフレーム構成に変換する構成変換手段を設け、そのシングルフレーム構成のコンテンツを情報端末装置に送信するように構成したので、高齢者や視覚障害者が見易い形式のコンテンツを提供することができる効果がある。
【図面の簡単な説明】
【図１】この発明の実施の形態１によるコンテンツ変換装置が適用されるシステム構成を示すシステム構成図である。
【図２】この発明の実施の形態１によるコンテンツ変換装置を示す構成図である。
【図３】コンテンツの表示内容を記述しているＨＴＭＬ書式を示す説明図である。
【図４】シングルフレーム構成のコンテンツの表示例を示す説明図である。
【図５】この発明の実施の形態３によるコンテンツ変換装置を示す構成図である。
【図６】この発明の実施の形態３による情報端末装置を示す構成図である。
【図７】タグ情報を示す説明図である。
【図８】情報端末装置が適用されるシステム構成を示すシステム構成図である。
【図９】マルチフレーム構成のコンテンツの表示例を示す説明図である。
【符号の説明】
１　Ｗｅｂサーバ（ウェブサーバ）、２　コンテンツ変換装置、３　インターネット、４　情報端末装置、１１　要求受付部（受信手段）、１２　コンテンツ受信部（受信手段）、１３　構成変換部（構成変換手段）、１４　コンテンツ送信部（送信手段）、１５　音声情報生成部（音声情報生成手段）、２１　情報受信部（音声情報受信手段）、２２　コンテンツ表示部、２３　ディスプレイ、２４　音声出力部（音声出力手段）、２５　スピーカ（音声出力手段）。
【図１】
2004139274.tif 000003
【図２】
2004139274.tif 000004
【図３】
2004139274.tif 000005
【図４】
2004139274.tif 000006
【図５】
2004139274.tif 000007
【図６】
2004139274.tif 000008
【図７】
2004139274.tif 000009
【図８】
2004139274.tif 000010
【図９】
2004139274.tif 000011